(57)【特許請求の範囲】
【請求項１】
ピンを有するホルダと、
スリット刃を支持し、前記ホルダと組み合わされ、前記ピンに取り付けられており、前記ピンのまわりを揺動可能である支持アームと、
前記ピンのまわりにおいて、前記ホルダに形成された内歯と、
前記ピンのまわりにおいて、前記支持アームに形成されており、前記内歯に対向する外歯とからなり、
前記ピンは半径方向孔を有し、前記ホルダに取り付けられ、軸方向に移動可能であり、偏心カムが前記半径方向孔に収容され、前記偏心カムは軸に形成され、前記軸はハンドルを有し、前記ホルダに取り付けられ、回転可能であり、前記ハンドルによって前記偏心カムを回転操作し、前記偏心カムによって前記ピンを移動させ、これによって前記外歯と内歯をかみ合わせるとともに、前記偏心カムによって前記ピンおよび支持アームを固定し、ロックするようにしたことを特徴とするスリッタのスリット刃の支持アーム固定装置。
【請求項２】
ピンを有するホルダと、
スリット刃を支持し、前記ホルダと組み合わされ、前記ピンに取り付けられており、前記ピンのまわりを揺動可能である支持アームと、
前記ピンのまわりにおいて、前記ホルダに形成された外歯と、
前記ピンのまわりにおいて、前記支持アームに形成されており、前記外歯に対向する内歯とからなり、
前記ピンは半径方向孔を有し、前記ホルダに取り付けられ、軸方向に移動可能であり、偏心カムが前記半径方向孔に収容され、前記偏心カムは軸に形成され、前記軸はハンドルを有し、前記ホルダに取り付けられ、回転可能であり、前記ハンドルによって前記偏心カムを回転操作し、前記偏心カムによって前記ピンを移動させ、これによって前記内歯と外歯をかみ合わせるとともに、前記偏心カムによって前記ピンおよび支持アームを固定し、ロックするようにしたことを特徴とするスリッタのスリット刃の支持アーム固定装置。
【発明の詳細な説明】
【０００１】
【産業上の利用分野】
この発明は、紙、プラスチックフィルムなどのウエブ材料をスリットするスリッタに関するものであり、特にそのスリット刃の支持アーム固定装置に関するものである。
【０００２】
【従来技術とその問題点】
紙、プラスチックフィルムなどのウエブ材料をスリットするスリッタでは、一般に、支持アームにスリット刃が支持され、スリット刃によってウエブ材料がスリットされる。支持アームがホルダと組み合わされ、ボルトがホルダにねじ合わされ、ボルトによって支持アームが固定されることも多い。この場合、ウエブ材料をスリット位置に導くとき、ボルトを一旦ゆるめ、支持アームをボルトのまわりに揺動させ、スリット位置から後退させることができ、ウエブ材料を容易に導くことができる。スリット刃を新しいものと交換するとき、同様に、支持アームをボルトのまわりに揺動させ、スリット位置から後退させ、スリット刃を容易に交換することもできる。その後、支持アームをもとの角度位置に揺動させ、ボルトによってそれを締め付け、固定することができ、スリット刃によってウエブ材料をスリットすることができる。
【０００３】
しかしながら、この装置の場合、支持アームをもとの角度位置に揺動させ、ボルトによってそれを締め付け、固定するとき、支持アームを正確に位置決めし、そのまま締め付け、固定することができるとは限らず、その位置決め精度が低く、再現性が悪いという問題があった。支持アームの揺動毎に、ボルトによって支持アームを締め付け、固定せねばならず、面倒であるという問題もある。
【０００４】
【発明の目的】
したがって、この発明は、スリッタのスリット刃の支持アーム固定装置を根本的に改良し、支持アームを正確に位置決めすることを目的としてなされたものである。
【０００５】
【発明の構成】
そして、この発明によれば、支持アームにスリット刃が支持され、これがホルダと組み合わされる。ホルダはピンを有し、支持アームはピンに取り付けられ、ピンのまわりを揺動可能である。さらに、ピンのまわりにおいて、内歯がホルダに形成され、外歯が支持アームに形成され、外歯は内歯に対向する。したがって、外歯を内歯にかみ合わせ、その状態で支持アームを固定することができる。
【０００６】
さらに、この発明によれば、ピンは半径方向孔を有し、ホルダに取り付けられ、軸方向に移動可能である。さらに、偏心カムが半径方向孔に収容される。偏心カムは軸に形成され、軸はハンドルを有し、ホルダに取り付けられ、回転可能である。したがって、ハンドルによって偏心カムを回転操作し、偏心カムによってピンを移動させ、これによって外歯と内歯をかみ合わせることができ、偏心カムによってピンおよび支持アームを固定し、ロックすることができる。
【０００７】
ピンのまわりにおいて、反対に、外歯をホルダに形成し、内歯を支持アームに形成し、外歯に対向させる。そして、内歯を外歯にかみ合わせ、その状態で支持アームを固定するようにしてもよい。
【０００８】
ハンドルによって偏心カムを回転操作し、偏心カムによってピンを移動させ、これによって内歯と外歯をかみ合わせるようにしてもよい。
【０００９】
【実施例の説明】
以下、この発明の実施例を説明する。
【００１０】
図１はこの発明にかかる装置を示す。この装置はスリッタのスリット刃１の支持アーム固定装置であり、支持アーム２にスリット刃１が支持されており、スリット刃１は紙、プラスチックフィルムなどのウエブ材料３をスリットするためのもので、矩形状をなす。
【００１１】
さらに、支持アーム２がホルダ４と組み合わされ、図２に示すように、ホルダ４はピン５を有し、支持アーム２はピン５に取り付けられており、ピン５のまわりを揺動可能である。さらに、ピン５のまわりにおいて、内歯６がリング状部材７に形成され、ボルト８によってホルダ４とリング状部材７が連結され、固定されており、ピン５のまわりにおいて、外歯９がリング状部材１０に形成され、ボルト１１によって支持アーム２とリング状部材１０が連結され、固定されている。したがって、ピン５のまわりにおいて、内歯６がホルダ４に形成され、外歯９が支持アーム２に形成されているものであり、外歯９は内歯６に対向する。支持アーム２とピン５の関係については、ピン５はボルト３１で固定されたヘッド１２を有し、ボルト１１によって支持アーム２とリング状部材１０が連結されたとき、ヘッド１２は支持アーム２とリング状部材１０間に配置される。これによって支持アーム２が取り付けられているものであり、支持アーム２はボルト１１、リング状部材１０およびヘッド１２に保持され、ピン５から抜けることはない。
【００１２】
したがって、この装置の場合、ピン５の軸方向において、支持アーム２をホルダ４に向かって移動させ、外歯９を内歯６にかみ合わせることができ、その状態で支持アーム２を固定することができる。この実施例では、図３に示すように、外歯９および内歯６にテーパ１３が形成されており、外歯９と内歯６を円滑にかみ合わせることができる。
【００１３】
さらに、この装置では、ピン５は半径方向孔１４を有し、ホルダ４に取り付けられており、軸方向に移動可能である。さらに、図４に示すように、偏心カム１５が半径方向孔１４に収容されている。偏心カム１５は軸１６に形成され、軸１６はハンドル１７を有し、ピン５に直角にのび、ホルダ４に取り付けられており、回転可能である。ハンドル１７の位置については、軸１６はホルダ４を貫通し、外部に突出しており、ハンドル１７は軸１６の突出端に取り付けられている。したがって、ハンドル１７によって軸１６および偏心カム１５を回転操作することができる。さらに、偏心カム１５を図４の時計方向に回転操作すると、図５に示すように、偏心カム１５が半径方向孔１４の周壁に押し付けられ、ピン５の軸方向において、偏心カム１５によってピン５を移動させることができ、それにともない、ヘッド１２によってリング状部材１０および支持アーム２が引っ張られ、支持アーム２はホルダ４に向かって移動する。これによって外歯９と内歯６をかみ合わせることができる。その後、ピン５の移動にともない、ピン５の軸方向において、支持アーム２がホルダ４に押し付けられ、偏心カム１５は半径方向孔１４内で拘束され、図５の位置に固定され、ロックされる。したがって、偏心カム１５によってピン５および支持アーム２を固定し、ロックすることができる。
【００１４】
この装置では、複数の支持アーム２において、それぞれスリット刃１が支持される。さらに、複数のホルダ４において、それぞれ支持アーム２が組み合わされ、ホルダ４は互いに間隔を置いて配置され、共通の支軸１８に取り付けられ、固定される。スリット刃１と支持アーム２の関係については、ホルダ１９にスリット刃１が保持され、ホルダ１９はカートリッジ式のもので、支持アーム２の受けみぞにはめ込まれ、取り付けられる。さらに、たとえば、ウエブ材料３がローラ２０の外周面に沿って送られ、各支持アーム２において、支持アーム２およびスリット刃１がウエブ材料３の送り方向Ｘに平行に配置される。したがって、支持アーム２の固定およびロック後、スリット刃１をウエブ材料３に接触させ、スリット刃１によってウエブ材料３をスリットすることができる。
【００１５】
したがって、この装置において、ウエブ材料３をスリット位置に導くとき、ハンドル１７によって偏心カム１５を回転操作し、これを図５の反時計方向に回転操作すると、半径方向孔１４内において、偏心カム１５が拘束状態から解放され、これによってそのロック作用が解除される。したがって、ピン５の軸方向において、支持アーム２をリング状部材１０およびピン５と一体的に移動させ、外歯９を内歯６から離脱させることができ、その後、ピン５のまわりにおいて、支持アーム２を図１の時計方向に揺動させ、持ち上げ、スリット位置から後退させることができる。したがって、その後、ウエブ材料３を容易に導くことができる。さらに、スリット刃１を新しいものと交換するとき、同様に、支持アーム２をピン５のまわりに揺動させ、スリット位置から後退させ、スリット刃１を容易に交換することもできる。その後、支持アーム２をもとの角度位置に揺動させ、ハンドル１７によって偏心カム１５を回転操作すると、偏心カム１５によってピン５を移動させ、これによって外歯９と内歯６をかみ合わせることができ、偏心カム１５によって支持アーム２を固定し、ロックすることができる。したがって、スリット刃１によってウエブ材料３をスリットすることができる。
【００１６】
したがって、この装置の場合、支持アーム２がもとの角度位置に揺動し、外歯９が内歯６にかみ合わされるとき、外歯９および内歯６によって支持アーム２が位置決めされる。そして、その状態で支持アーム２が固定される。したがって、支持アーム２を正確に位置決めすることができ、その位置決め精度が高く、再現性はよい。しかも、ハンドル１７によって偏心カム１５を回転操作すると、それによって外歯９と内歯６をかみ合わせることができ、偏心カム１５によって支持アーム２を固定し、ロックすることもできる。前記従来のように、ボルトによって支持アーム２を締め付け、固定する必要はなく、その作業は容易である。
【００１７】
支持アーム２を固定するとき、その角度位置を段階的に変更し、その角度位置において、外歯９を内歯６にかみ合わせ、その状態で支持アーム２を固定することもできる。したがって、ウエブ材料３とスリット刃１間の角度を任意に調整することができ、ウエブ材料３の種類によってそれを変更することもできる。外歯９および内歯６によって再現性を得ることもできる。
【００１８】
なお、この実施例では、ピン５のまわりにおいて、内歯６をホルダ４に形成し、外歯９を支持アーム２に形成したものを説明したが、必ずしもその必要はない。図６に示すように、ピン５のまわりにおいて、外歯２１をホルダ４に形成し、内歯２２を支持アーム２に形成し、外歯２１に対向させる。そして、内歯２２を外歯２１にかみ合わせ、その状態で支持アーム２を固定するようにしてもよい。偏心カム１５によってピン５を移動させ、これによって内歯２２と外歯２１をかみ合わせることもできる。
【００１９】
さらに、図７に示すように、スリット刃２３に矩形刃ではなく、丸刃を使用し、支持アーム２にそれを支持し、丸刃によってウエブ材料３をスリットするようにしてもよい。スリット刃１，２３を支持した支持アーム２において、ボルト３１をピン５から抜き取ると、支持アーム２をヘッド１２およびリング状部材１０と一体的に取り外すことができ、その交換も容易である。
【００２０】
【発明の効果】
以上説明したように、この発明によれば、外歯９および内歯６または内歯２２および外歯２１によって支持アーム２を位置決めし、その状態で支持アーム２を固定することができる。したがって、支持アーム２を正確に位置決めすることができ、その位置決め精度が高く、再現性がよく、所期の目的を達成することができるものである。
【図面の簡単な説明】
【図１】この発明の実施例を示す側面図である。
【図２】図１の装置の断面図である。
【図３】図１の外歯および内歯の拡大図である。
【図４】図２のピンと偏心カムの関係を示す説明図である。
【図５】図４の偏心カムを回転操作した状態を示す説明図である。
【図６】他の実施例を示す断面図である。
【図７】他の実施例を示す側面図である。
【符号の説明】
１，２３  スリット刃
２  支持アーム
３  ウエブ材料
４  ホルダ
５  ピン
６，２２  内歯
９，２１  外歯
１４  半径方向孔
１５  偏心カム
１６  軸
１７  ハンドル
【図１】
0003634306.tif 000002
【図２】
0003634306.tif 000003
【図３】
0003634306.tif 000004
【図４】
0003634306.tif 000005
【図５】
0003634306.tif 000006
【図６】
0003634306.tif 000007
【図７】
0003634306.tif 000008